(57)【要約】【課題】パッドが管体を流れる空気流に対し、所定の振動がなされるよう構成することにより、より響きのある音を発生させるようにすることを目的とする。【解決手段】管楽器のトーンホールを開閉するキーに用いられる管楽器用パッドにおいて、キー内において、トーンホール端部に対向する位置にパッドが設けられ、該パッドが、カップ状のベースと、該ベース内に設けられたジェル状の樹脂を有するよう構成される。【選択図】図１
0003136072.tif 000002
【実用新案登録請求の範囲】
【請求項１】
管楽器のトーンホールを開閉するキーに用いられる管楽器用パッドにおいて、
前記キー内に、前記トーンホール端部に対向する位置にパッドが設けられ、
該パッドは、カップ状のベースと、該ベース内に設けられたジェル状の樹脂を有することを特徴とする管楽器用パッド。
【請求項２】
前記ベースは樹脂からなり、前記ベースの硬度は前記ジェル状の樹脂の硬度よりも高いことを特徴とする請求項１に記載の管楽器用パッド。
【請求項３】
前記ベースの底面部の厚さは、該ベース内に設けられた前記ジェル状の樹脂の厚さよりも薄いことを特徴とする請求項１または２に記載の管楽器用パッド。
【請求項４】
前記ベース内で、かつ前記ジェル状の樹脂の前記トーンホールに対向する表面に皮革膜を設けたことを特徴とする請求項１ないし３のいずれか１つに記載の管楽器用パッド。
【請求項５】
前記皮革膜を覆うように樹脂膜が設けられていることを特徴とする請求項４に記載の管楽器用パッド。
【請求項６】
前記樹脂膜は、前記ベースに、その端部を固着するように設けられることを特徴とする請求項５に記載の管楽器用パッド。
【考案の詳細な説明】
【技術分野】
【０００１】
本考案は、管楽器に設けられた音程を変化させるためのトーンホールを開閉するキーに用いられる管楽器用パッドに関するものである。
【背景技術】
【０００２】
従来、管楽器用のトーンホールを開閉するためのパッドは、フェルトを、動物の内臓、腸の皮を薄膜状に形成したパッドスキンにより包み込み台紙に糊付けした構造をしている。そして、パッドの台紙側がカップに装着され、パッドのフェルト側がトーンホールの開口端に密着、離隔されることにより、トーンホールを開閉し、唄口から吹き込まれた空気流が管楽器外部に流出するのを防止することによって、管体を流れる空気流の振動数が変化し、音程を変化させている。
【０００３】
トーンホールに対するパッドの密着性は、音程、音質等に影響を及ぼすため、種々の改良がなされている。例えば、特許文献１にあげるように、金属製のカップ内に円管状の溝を設け、その内部に円盤状の人工皮革とシリコンゴムを挿入したものがある。また特許文献２においては、パッド全体を特殊なシリコンゴムにより形成したものがあるが、これらは、すべてパッドの密着性を改善するために改良されたものであり、管体を流れる空気流の振動がパッドに伝わる際の振動の影響を考慮したものではない。
【特許文献１】特開２０００−２９３１６５号公報
【特許文献２】特開２００５−２３４５１１号公報
【考案の開示】
【考案が解決しようとする課題】
【０００４】
パッドは管体を流れる空気流に直接接触するため、少なからず、音の響きに影響を与えている。しかし、従来のフェルトや硬質の樹脂で構成されたパッドでは、その響きをパッドを経由して充分に伝達させることができなかった。そこで、本考案は、パッドが管体を流れる空気流に対し、所定の振動がなされるよう構成することにより、より響きのある音を発生させるようにするものである。
【課題を解決するための手段】
【０００５】
このような課題を解決するため、本考案においては、請求項１に記載のように、管楽器のトーンホールを開閉するキーに用いられる管楽器用パッドにおいて、前記キー内に、前記トーンホール端部に対向する位置にパッドが設けられ、該パッドは、カップ状のベースと、該ベース内に設けられたジェル状の樹脂を有することを特徴とするものである。
【０００６】
また、請求項２に記載のように、ジェル状の樹脂をベース内で保持できるようにするため、ベースを硬質の樹脂からなる構成とし、その硬度をジェル状の樹脂の硬度よりも高い硬度の構成としてもよい。
【０００７】
また、請求項３のように、ベースのカップ内に設けられるジェル状の樹脂の厚さを十分確保するため、ベースの底面部の厚さをジェル状の樹脂の厚さよりも薄くするよう構成してもよい。
【０００８】
さらに、請求項４のごとく、ジェル状の樹脂のトーンホールに対向する表面に皮革膜を設ける構成としてもよい。
【０００９】
また、請求項５に記載のように、さらに皮革膜を覆うように樹脂膜を設けるよう構成してもよい。
【００１０】
また、請求項６に記載のように、樹脂膜は、ベースに、その端部を固着するように設けられていてもよい。
【考案の効果】
【００１１】
本考案は、このような構成とすることにより、請求項１の構成によれば、管体を流れる空気流がパッドの表面を流れる際に、その振動がパッド内のジェルと共振し、空気流の振動の減衰を抑えて、響きのある音を創出、維持することができる。
【００１２】
また、請求項２に記載のように、ベースを硬質の樹脂からなる構成とすることで、変形しやすいジェル状の樹脂をベース内で保持することが可能となる。
【００１３】
請求項３においては、ベースの底面部の厚さをジェル状の樹脂の厚さより薄くすることで、ベースのカップ内に設けられるジェル状の樹脂の厚さを十分確保することができ、パッドでの振動の伝達を十分に伝えることができる。
【００１４】
さらに、請求項４のごとく、ジェル状の樹脂のトーンホールに対向する表面に皮革膜を設けることで、振動が皮革膜を介してジェル状の樹脂に伝わることとなり、より音にやわらかさを与え、表情のある音色を作り出すことが可能となる。
【００１５】
また、請求項５に記載のように、皮革膜を覆うように樹脂膜を設けることで、比較的柔らかなジェル状の樹脂や皮革膜の場合のトーンホール先端部のパッドの食い込みを防止することができる。
【００１６】
また、請求項６に記載のように、樹脂膜が、ベースに、その端部を固着するように設けられることで、樹脂膜には、所定の張力が作用した状態で樹脂ベース１１に固定することができる。
【考案を実施するための最良の形態】
【００１７】
添付図面に基づいて本考案の実施例を説明する。
【００１８】
（実施の形態１）
図１は、本考案のパッド１０が装着されたキーの全体概要図を示す断面図であり、本考案のパッド１０がキーの本体となる金属製のカップ１内に装着され、パッド１０の端面が、楽器の管体５０に設けられたトーンホール５１の開口端に接触し、トーンホール５１を塞いだ状態を示す。演奏者は、カップ１の上面に直接指先を載せるか、カップ１に連結されたリンク等を介してカップ１を上下開閉することにより、トーンホール５１を開閉し音程を変化させる。
【００１９】
図２は、本発明のパッド１０の縦断面図であり、図３は、パッド外周部の一部拡大断面図である。なお、各図面では、皮革膜１３、樹脂膜１４およびパッドスキン１５等の構成要素を明確化するために、上記構成要素の相互間に隙間があるように示しているが、本発明のパッド１０の本来の機能上、実際には、上記構成要素は密着した状態で設けられる。
【００２０】
パッド１０は、主にベースとなるカップ状の樹脂からなる樹脂ベース１１と、樹脂ベース１１に内に装着されたジェル状の樹脂体１２、ジェル状の樹脂体１２の表面に装着された皮革膜１３からなり、さらに皮革膜１３の表面と樹脂ベース１１外周を覆うように樹脂膜１４が設けられ、さらに、樹脂膜１４の表面を覆うようにして、動物の腸の皮からなる薄膜状のパッドスキン１５が設けられる。パッドスキン１５は、樹脂ベース１１の背面１１ｅにまで到達する形で覆うように設けられ、その端部は樹脂ベース１１の背面に台紙１６により固着される構成となっている。
【００２１】
本発明の特徴であるパッド１０の内部構造について詳細に説明する。
【００２２】
図４は、樹脂ベース１１の平面図であり、図５は、樹脂ベース１１の縦断面図を示す。樹脂ベース１１は、全体が円盤状をなし、その外周端には底面部１１ａから突出する円筒状の外周壁部１１ｃが形成され、中央には、底面部１１ａを貫通するように貫通孔２０が形成されている。また、貫通孔２０の周囲には円筒状の内周壁部１１ｄが形成され、底面部１１ａに対し、略直交する方向に、外周壁部１１ｃと同方向に向けて突出している。また、図３に示すように、外周壁部１１ｃは、その端部に向かって、かつ外径方向にやや広がるように傾斜している。この傾斜は、後述する樹脂膜１４の端部がこの傾斜部外周面に接着される際に、樹脂膜１４の表面が所定の張力で均一に張られるようにするために設けられている。樹脂ベース１１の素材は主に、硬質の樹脂からなり、例えば、ジュラコン（登録商標）等高分子材料からなる樹脂で構成されるのが最も好ましいが、同様の硬度、特性を有するものであれば、他の素材を用いることも可能である。
【００２３】
外周壁部１１ｃと内周壁部１１ｄとの間に形成された円筒状の凹部には、中央に貫通孔１２ａが設けられた円盤状のジェル状の樹脂体１２が挿入され、ジェル状の樹脂体１２の一端面１２ａがベース１１の底面部１１ａの内表面１１ｅと接するように設けられる。図６にその平面図、図７にその縦断面図を示す。貫通孔１２ａは樹脂ベース１１の内周壁部１１ｄの外周面とほぼ同一の径を有しており、内周壁部１１ｄの外周面とほぼ隙間なく挿入される。また、ジェル状の樹脂体１２の外周面１２ｂは、樹脂ベース１１の外周壁部１１ｃの内周面とほぼ同様の径を有しており、該外周面とほぼ隙間なく挿入される。ただし、外周壁部１１ｃは傾斜しているため、傾斜分だけの隙間は生じてもよいし、その隙間を埋めるよう、ジェル状の樹脂体１２の外周面１２ｂを同様に傾斜させてもよい。
【００２４】
ジェル状の樹脂体１２は、凹状に形成された樹脂ベース１１に囲まれるようにして挿入される。これにより、変形しやすいジェル状の樹脂体１２を樹脂ベース１１内に所定の形状で維持、保持することができる。なお、ベース１１は外周壁部１１ｃと内周壁部１１ｄとを一体とした構成としたが、ジェル状の樹脂体１２が維持、保持される構成であれば、それぞれ、もしくは一方のみを別の円筒状の部材から構成するようにしてもよい。
【００２５】
さらに、ジェル状の樹脂体１２の他方の略円形状平面１２ｄ上には所定の薄膜状に形成された皮革膜１３が他方の略円形状平面１２ｄに接するように設けられる。図８に皮革膜１３の平面図、図９に縦断面図を示す。形状としては、平板状で、ほぼジェル状の樹脂体１２と同等の形状、すなわち、外周面１３ｂ、内周面１３ａを、ジェル状の樹脂体１２の外周面１２ｂと内周面１２ａとほぼ同径としているが、その厚さが異なり、ジェル状の樹脂体１２が、１ｍｍ程度の厚さを有するのに対し、皮革膜１３は、０．４ｍｍ程度の厚さとなる。皮の材質としては、鹿もしくはカーフが好ましいが、人工皮革等同等の性質を有する素材であれば他の素材を用いることも可能である。
【００２６】
また、ジェル状の樹脂体１２と皮革膜１３の厚さの合計は、樹脂ベース１１に設けられた凹部の深さとほぼ同一の寸法となるよう設定される。従って、皮革膜１３表面の位置は、樹脂ベース１１に設けられた外周壁部１１ｃ、内周壁部１１ｄの上端面とほぼ同一平面上となる。
【００２７】
皮革膜１３の表面には、０.１〜０．２ｍｍ程度の厚さを有するポリ塩化ビニール膜からなる樹脂膜１４が設けられる。この樹脂膜１４は、ベース１１の内周壁部１１ｄの上端面から外周壁部１１ｃの外周面まで到るようにして、皮革膜１３全体を覆うように設けられる。樹脂膜１４は、内周壁部１１ｄの上端面と、外周壁部１１ｃの外周面において、糊付け固定される。従って、樹脂膜１４には、所定の張力が作用した状態で樹脂ベース１１に固定することができる。また、皮革膜１３の表面は、樹脂ベース１１の外周壁部１１ｃの上端面とほぼ同一の高さになっているため、その表面に設けられた樹脂膜１４とは、隙間なく接するように配置されることとなる。
【００２８】
さらに、樹脂膜１４を覆うように、パッドスキン１５が、ベース１１の内周壁部１１ｄの上端面からベース１１の底面部１１ａの背面１１ｅまで到達するように、パッド１０全体を覆うように設けられ、その一端は、ベース１１の内周壁部１１ｄの上端面に糊付け固定され、他端は、背面１１ｅに糊付け固定される。他端はさらに、中央に貫通穴が設けられた平板状の台紙１６により、ベース１１の底面部１１ａの背面１１ｅに固着される。
【００２９】
パッド１０は、以上のような構成から以下のような作用を奏する。
【００３０】
パッド１０がトーンホール５１を閉塞するように位置したとき、トーンホール５１の端面はパッドスキン１５と直接接するが、その背面には樹脂膜１４、皮革膜１３およびジェル状の樹脂体１２が互いに接するように配置されている。そのため管体５０を流れる空気流の振動は、これら、パッドスキン１５、ポリ塩化ビニール膜１４、皮革膜１３を介してジェル状の樹脂体１２に伝達され、ジェル状の樹脂体１２内を振動が通過することとなる。ジェル状の樹脂体１２はその材質の特性から振動が伝わりやすいため、管体５０を流れる空気流の振動すなわち音響が減衰されることなく伝わることとなり、響きを維持することが可能となる。
【００３１】
ジェル状の樹脂は、振動を伝達しやすい一方、変形しやすく、形状を維持することが難しいが、本考案のように、カップ状の樹脂ベース１１に囲まれるようにして、ジェル状の樹脂体１２を樹脂ベース１１内に挿入、保持する構成としているので、パッド内でその形状を保持することが可能となる。さらにジェル状の樹脂体１２の上部に皮革膜１３を設けることで、音質にやわらかさを与えることが可能となる。
【００３２】
パッド１が、トーンホール５１に接触する際には、パッドに対し、所定の押圧力が働き、パッド１の表面がめり込んでしまう。特に本考案の場合、内部にジェル状の樹脂体１２が挿入されているため、そのめり込みは、従来のフェルト材のようなものに比べ大きくなる。そのため、皮革膜１３の表面に、所定の張力を有するように樹脂膜１４を設けることで、パッド１がトーンホール５１に接触押圧された際の圧力に対し、めり込みを防止することが可能となる。なお、パッド１の最表面に設けられたパッドスキンは、トーンホール５１の開口端に湿気等によりパッド１が粘着してしまうことを防止するために用いられている。
【００３３】
実施の形態１の場合、カップ１にパッド１０を固定するためのねじ部が挿入される貫通孔２０が設けられていたが、カップ１にも同様の貫通孔が設けられる、いわゆるリングキーにおいても同様に用いることができる。その場合、パッドは、ねじおよびワッシャにより固定されるのではなく、カップ中心に設けられたリング状の円環部外周面に圧入固定されることとなる。
【００３４】
（実施の形態２）
実施形態１において、パッド１０の中央には、キーに固定するためのねじ部が挿入される貫通孔２０が形成されていたが、管楽器には複数の様々な径のキーが用いられており、特に小径のキーの場合、中央に締結用のねじ部を設けることなくキーのカップ内部にパッドを直接接着固定する場合がある。この場合の構成について以下説明する。
【００３５】
図１０に中央に貫通孔のない小径キー用のパッド３０の縦断面図を示す。
【００３６】
樹脂ベース３１、ジェル状の樹脂体３２、皮革膜３３、樹脂膜３４、パッドスキン３５、台紙３６のいずれも、実施形態１において、それぞれに形成されていた中央貫通孔がない形状であり、その他の形状は、その寸法上の違いはあるものの、実質的に同様の形状を有している。
【産業上の利用可能性】
【００３７】
本考案は、フルートあるいはその他の管楽器のキーに用いられ、従来、キーの密閉性を高めることを目的としてパッドが構成されていたのに対し、パッド自体に響きを維持、持続させる機能を設けることで、より楽器の表現性を広げ、響きを豊かにすることに利用することができる。
【図面の簡単な説明】
【００３８】
【図１】実施の形態１における管楽器用パッドの全体構成を示す断面図である。
【図２】実施の形態１における管楽器用パッドの縦断面図である。
【図３】実施の形態１における管楽器用パッドの一部拡大断面図である。
【図４】実施の形態１における樹脂ベースの平面図である。
【図５】実施の形態１における樹脂ベースの縦断面図である。
【図６】実施の形態１におけるジェル状の樹脂体の平面図である。
【図７】実施の形態１におけるジェル状の樹脂体の縦断面図である。
【図８】実施の形態１における皮革膜の平面図である。
【図９】実施の形態１における皮革膜の縦断面図である。
【図１０】実施の形態２における管楽器用パッドの縦断面図である。
【符号の説明】
【００３９】
１…カップ
１０…パッド
１１…樹脂ベース
１２…ジェル状樹脂体
１３…皮革膜
１４…樹脂膜
１５…パッドスキン
１６…台紙
【図１】
0003136072.tif 000003
【図２】
0003136072.tif 000004
【図３】
0003136072.tif 000005
【図４】
0003136072.tif 000006
【図５】
0003136072.tif 000007
【図６】
0003136072.tif 000008
【図７】
0003136072.tif 000009
【図８】
0003136072.tif 000010
【図９】
0003136072.tif 000011
【図１０】
0003136072.tif 000012